(57)【要約】【課題】  接着シールによる固定箇所の封印において、封印対象物の濡れ、汚れ等の物理的な状態の如何に関係なく、簡便に確実に封印できる封印手段を得ること。【解決手段】  取り付けボルトＣの軸を螺着するための挿入穴Ｅを有する部材本体Ａの上に、それぞれボルトＣの軸を挿通する穴を有するカバーＢ、封印用シール材１０、座金Ｄの順に重ね、重ね合わせた穴にボルトＣを挿通し、ボルトＣの螺軸を部材本体Ａのネジ山と螺合し、部材本体ＡとカバーＢを緊締し、一体化する。そして、座金Ｄの下面に介在せしめた封印シール材１０を、上方に折り曲げて、接着剤を塗布した面を合体させて立ち上げて封印シールとして機能せしめる。【選択図】  図２
2005181641.tif 000002
【特許請求の範囲】
【請求項１】
軸を有する固定手段を挿着することによって固定された複数の部材において前記固定手段の頭部を覆い被せるように貼り合わせて封印するための封印用シール材であって、
封印を剥がすと痕跡が残る接着剤層を少なくとも片面に有するシール材からなり、
且つ、
その表面には、固定手段の軸を通す穴が形成されていることを特徴とする封印用シール材。
【請求項２】
少なくとも表面に形成された穴を含む部分に、固定手段を挿入緊締時にシール材のよじれを防止する座金として機能する部分を形成した請求項１に記載の封印用シール材。
【請求項３】
表面に固定手段の軸を挿通する穴を設けた封印用シール材を用いた封印方法であって、
それぞれの部材に固定手段の軸を挿通する穴を設け、
それぞれの穴を一致させて、それぞれの部材と封印用シール材を当接せしめ、
その封印用シール材の外方から固定手段の軸を挿入緊締せしめて、固定手段とそれぞれの部材と封印用シール材を一体化したのち、
前記封印用シール材で固定手段の頭部を覆い被し、前記封印用シール材の接着剤層どうしを貼り合わせて封印することを特徴とする封印方法。
【発明の詳細な説明】
【技術分野】
【０００１】
本発明は、例えば、給液所の貯蔵タンクの在庫量を測定する液面計のように、本体とカバーをボルトとネジによって固定されている箇所が不正に分解されているか否かを確認するための封印シ−ルとそれを用いる封印方法に関する。
【背景技術】
【０００２】
かかる箇所の不正分解を知るための封印手段としては、従来から、例えば、特許文献１に記載のように、本体とカバーとの間を固定しているボルト及びネジ等の固定手段をカバーする封印用粘着シールを貼着し、このシールを剥がすとその跡に剥離痕跡が残るようにする貼着シールによる封印手段が知られている。
【０００３】
また、特許文献２に記載のように、両者を取り付け固定するボルトあるいはネジ等の頭を封印具を用いて封印し、その封印の破壊によって不正分解を確認する手段が知られている。
【０００４】
前者の接着シールによる封印は、後者の封印具を用いる封印に較べ、安価であって、封印作業が簡便である上に、封印の破壊の確認が一目瞭然に確認できるという利点がある。
【０００５】
ところが、接着シール封印は、係る利点がある反面、シールを貼る面の対象物の濡れと汚れに対しては、シールの粘着力が大幅に弱まり、確実に貼着することができなかったり、シールの材質上、ボルトやネジ等により破れてしまう問題がある。
【特許文献１】特開平１０−２３１４５９号公報
【特許文献２】特開平１０−３３３５７５号公報
【発明の開示】
【発明が解決しようとする課題】
【０００６】
本発明が解決しようとする課題は、接着シールによる固定箇所の封印において、封印対象物の濡れ、汚れ等の物理的な状態の如何に関係なく、簡便に確実に封印できる封印手段を得ることにある。
【課題を解決するための手段】
【０００７】
本発明は、ボルトまたはネジ手段のような軸を有する固定手段を挿着することによって固定された複数の部材の固定手段の頭部を覆い被せるように貼り合わせて封印するための封印用シール材であって、封印を剥がすと痕跡が残る接着剤層を少なくとも片面に有するシール材からなり、且つ、その表面には、固定手段の軸を通す穴が形成されていることを特徴とする。
【０００８】
また、その封印用シール材には、少なくとも表面に形成された穴を含む部分に、固定手段を挿入緊締時にシール部分のよじれ等を防止する座金部分を形成することができる。
【０００９】
この封印用シール材を使用して複数の部材の間を封印する方法は、それぞれの部材に固定手段の軸を挿通する穴を設け、それぞれの穴を一致させて、それぞれの部材と封印用シール材を当接せしめ、その封印用シール材の外方から固定手段の軸を挿入緊締せしめて、固定手段とそれぞれの部材と封印用シール材を一体化したのち、前記封印用シール材を折り曲げて、固定手段の頭部を覆い被し、前記封印用シール材の接着剤層どうしを貼り合わせて封印することを特徴とする。
【発明の効果】
【００１０】
封印に必要なものは、剥すと痕跡が残るシール構造のもの１枚だけであり、専用工具を必要としないため、コストが大幅に削減される。
【００１１】
シールの接着面どうしを接着して封印を形成するので、作業時の天候や汚れ等に影響されず、確実な封印が簡便に形成される。
【００１２】
専用工具を必要としないため、狭い場所での封印が可能となる。
【発明を実施するための最良の形態】
【００１３】
以下、本発明の実施の形態を実施例に基づいて説明する。
【実施例１】
【００１４】
図１は、本発明の第１の実施例に係る封印用シール材１０の外観を示す。
【００１５】
同図において、封印用シール材１０は、紙、プラスチック、アルミニウム箔等のような折り曲げ可能なシート材１１からなり、その上面には接着剤１２を塗布するとともに、連結ボルトの軸を通すための穴１３が穿設されている。この接着剤１２には、封印用シール材１０を装着状態から剥がした跡に痕跡が残るように、白墨粉末、塗料、その他の着色剤が接着剤の機能を失わない程度に混入されている。また、連結ボルトの軸を通すための穴１３は、封印用シール材１０の表面中央である必要はなく、一方に偏っていた方が折り曲げて重ね合わせるには好都合な場合がある。
【００１６】
図２は、貯蔵タンクの在庫量を測定する液面計のような部材本体に、カバーをボルトによって取り付け固定し、この取り付けたボルトを図１に示す本発明の封印用シール材１０によって封印する際の使用態様を示す。
【００１７】
同図（ａ）は、本発明の封印用シール材１０の取り付け手順を示す。同図において、取り付けボルトＣの軸を螺着するための挿入穴Ｅを有する部材本体Ａの上に、それぞれボルトＣの軸を挿通する穴を有するカバーＢ、封印用シール材１０、座金Ｄの順に穴を一致させて重ね、この重ね合わせた穴にボルトＣを挿通し、ボルトＣの螺軸を部材本体Ａのネジ山と螺合し、部材本体ＡとカバーＢを緊締し、一体化する。
【００１８】
これによって、同図（ｂ）に示すように、重ね合わされた部材本体ＡとカバーＢを締め付け固定したボルトＣの頭部の下面に、シール破れ防止と回り止め防止のための座金Ｄと封印用シール材１０とを介在せしめた構造体ができあがる。
【００１９】
同図（ｃ）は、座金Ｄの下面に介在せしめた封印用シール材１０を、上方に折り曲げて、接着剤を塗布した面どうしを貼り合わせながら立ち上げて封印シールとして機能せしめた状態を示す。
【００２０】
封印用シール材１０の立ち上げ部分は、完全に取り付けボルトＣの頭部を覆った状態になるので、ボルトＣの頭部の汚れを防止し、封印用シール材１０を剥がして保守作業を行う際には、頭部の汚れによって支障を来すことはない。
【００２１】
また、不当に封印用シール材１０を剥がされた場合には、接着剤に混入した塗料等の一部が封印用シール材１０より剥がれることによって、一目瞭然に判明する。なお、本使用態様は、座金Ｄを使用しなくても同様の封印効果を得ることができる。
【実施例２】
【００２２】
この実施例は、本発明の封印用シール材に本来の封印シールの機能に加えて、座金の機能を付加したものである。
【００２３】
図３は、この本発明の封印用シール材の第２の実施例に係る封印用シール材２０の外観を示す。同図に示すように、この例の場合は、シール基材２１の表面に座金として機能する座金部分２４を設けたものである。この座金部分２４を構成する材料としては、取り付けボルトの締め付けを助ける機能を持たせるために、比較的軟質の材料で、比較的厚く形成するのがよい。
【００２４】
そして、実施例１と同様に、座金部分２４を除くシール基材２１の表面に塗料等を混入した接着剤２２を塗布し、取り付けボルトの軸を挿通するための穴２３を設けたのに加えて、座金として機能する座金部分２４を設けたものである。
【００２５】
この座金部分２４は、可とう性材料からなる封印用シール材２０の全体厚みを厚くすることもできるし、さらに、この座金部分２４を上面ではなく、下面に形成することもできる。
【００２６】
そして、この封印用シール材２０の座金部分２４は、図４（ａ）に示すような回り留め座金としても有効に利用できる。
【００２７】
この場合の封印用シール材２０の取り付けは、同図（ｂ）に示すように、部材本体Ａの上に、カバーの取り付け部分Ｂを、それぞれのボルトＣの軸の挿入穴を一致させて載置した上に、封印用シール材２０を置き、実施例１のように座金を用いることなくボルトＣを挿通し、ボルトＣの螺軸を部材本体Ａのネジ山と螺合して締め付ける。
【００２８】
そして、封印用シール材２０の両端を折り曲げてその当接した両面を接着して封印を形成するのは実施例１の場合と同様である。
【００２９】
この実施例の場合、封印用シール材２０に形成した座金部分２４が座金として機能し、しかも回り止めとして機能するものであるから、そのための座金を別に用意する必要はなく、その分、作業工程が簡略化される。
【実施例３】
【００３０】
図５は、本発明の第３の実施例に係る封印用シール材３０の外観を示す。同図に示すように、この例の場合は、連結ボルトの軸を通すための穴３３は、封印用シール材３０の表面中央ではなく、一方に偏って穿設されている。
【００３１】
この例の場合、図６に示すように、封印用シール材３０の一端を他端と重なるように折り曲げ、接着剤３２を塗布した面どうしを貼り合わせて封印シールとして機能せしめる。なお、本使用態様は、第１の実施例の場合と同様に、座金Ｄを使用しなくても同様の封印効果を得ることができる。
【産業上の利用可能性】
【００３２】
本発明の封印用シール材による封印は、貯蔵タンクの在庫量を測定する液面計の他、ガソリン計量機、水道メーター、ガスメーター、電気メーター、圧力計、計量秤等、ボルト等の固定手段により固定されている箇所を有するあらゆる装置や部材にも好適に使用できる。
【図面の簡単な説明】
【００３３】
【図１】本発明の封印用シール材の第１の実施例を示す。
【図２】図１に示す封印用シール材の適用方法を示す。
【図３】本発明の封印用シール材の他の実施例を示す。
【図４】図３に示す封印用シール材の適用方法を示す。
【図５】本発明の封印用シール材の更に他の実施例を示す。
【図６】図５に示す封印用シール材の適用方法を示す。
【符号の説明】
【００３４】
１０、２０、３０  本発明の封印用シール材
１１、２１、３１  シール基材
１２、２２、３２  接着剤
１３、２３、３３  ボルト軸挿入穴
２４  座金部分
Ａ，Ｂ  固定部材
Ｃ  固定手段
Ｄ  座金
Ｅ  ネジ山
【図１】
2005181641.tif 000003
【図２】
2005181641.tif 000004
【図３】
2005181641.tif 000005
【図４】
2005181641.tif 000006
【図５】
2005181641.tif 000007
【図６】
2005181641.tif 000008